(57)【要約】【課題】従来のフレーム構造にあっては、縦アングル材の上下端と横アングル材は平坦な鋼材をプレス加工による折り曲げ加工したものでは強度が弱いために、強度を持たせるために引抜き加工によって製作したものが使用されコストが高く、かつ、隅金具は比較的小さなものであると共に縦アングル材と横アングル材とを固定しているだけで、縦アングル材と横アングル材は天板や底板には固定されていないことから、強度が低く前後、左右方向に変形し易く、さらに、上方向よりの荷重に対して縦アングル材が変形し易くなるといった問題があった。【解決手段】天板と底板に取付金具を固定し、該固定された取付金具の固定部に前記アングル材の取付部を固定し、該アングル材のコ字状部と折曲辺とに形成された取付用孔を利用して棚板等の取付部材の取付けを可能としたことを特徴とする金属製組立棚のフレーム構造である。【選択図】図１
2011029363.tif 000002
【特許請求の範囲】
【請求項１】
四角形状に形成された水平辺の４辺から起立片が形成され前記水平辺と前記起立片の四隅部分に取付金具を固定するための孔が形成された天板および底板と、
前記天板および底板の前記水平辺と起立片における孔を利用して締結部材によって固定される孔が形成され、かつ、２つの隅部にアングル材固定用の孔が形成された固定部を有する取付金具と、
該取付金具の固定部の孔を利用して締結部材によって固定される孔を有する両端に形成されたＬ字状の取付部を有し、該取付部から連続して形成されたコ字状部および該コ字状部の一辺から外側に折り返された折曲辺が形成され、かつ、前記コ字状部と折曲辺とに形成された取付用孔を有するアングル材とから構成し、  前記天板と底板に前記取付金具を固定し、該固定された取付金具の前記固定部に前記アングル材の取付部を固定し、該アングル材の前記コ字状部と折曲辺とに形成された取付用孔を利用して棚板等の取付部材の取付けを可能としたことを特徴とする金属製組立棚のフレーム構造。
【請求項２】
前記天板および底板の前記起立辺の先端側から略９０度内側に折曲して水平辺を形成し、かつ、該水平辺の先端から垂直方向に略９０度折曲した垂直辺を形成すると共に、該水平辺と垂直辺に中間支柱を取付けるための取付用孔を形成したことを特徴とする請求項１記載の金属製組立棚のフレーム構造。
【請求項３】
前記取付金具の４隅に折り返し片を形成し、前記天板、底板および前記アングル材を締結部材によって固定することで、前記折り返し片は本体側と一体化されることを特徴とする請求項１記載の金属製組立棚のフレーム構造。
【発明の詳細な説明】
【技術分野】
【０００１】
本発明は、４本のアングル材における上下端を、天板と底板に取付けた取付金具に固定することで、前記アングル材間に取付ける棚板に対して電源装置等の重量物を載せても前後、左右および上下方向の揺れを防止できる金属製組立棚のフレーム構造に関する。
【背景技術】
【０００２】
従来における金属製組立棚のフレーム構造としては、例えば、特該平７−２３７８１８号公報に開示されている発明がある。この構造は、Ｌ字状の４本の縦アングル材と、Ｌ字序の４本の横アングル材と、平面視形でＬ字の８個の隅金具とからなり、４本の縦アングル材の上端と、４本の横アングル材を隅金具を利用してネジ止めによって固定し、また、４本の縦アングル材の下端と４本の横アングル材を隅金具を利用してネジ止めによって固定することで、フレームを組立てものであった。
【先行技術文献】
【特許文献】
【０００３】
【特許文献１】特開平７−２３７８１８号公報
【発明の概要】
【発明が解決しようとする課題】
【０００４】
ところで、前記したフレーム構造にあっては、縦アングル材の上下端と横アングル材は平坦な鋼材をプレス加工による折り曲げ加工したものでは強度が弱いために、強度を持たせるために引抜き加工によって製作したものが使用されコストが高く、かつ、隅金具は比較的小さなものであると共に縦アングル材と横アングル材とを固定しているだけで、縦アングル材と横アングル材は天板や底板には固定されていないことから、強度が低く前後、左右方向に変形し易く、さらに、上方向よりの荷重に対して縦アングル材が変形し易くなるといった問題があった。
【０００５】
また、棚板を縦アングル材に取付けるには、該縦アングル材の強度の関係から棚板を固定するための多数の長孔を形成することはできず、そのためにＬ字状の折り曲げ加工し棚板取付け用のための孔が多数形成された棚板取付板を前記縦アングル材にネジ止めしているために組立工数が増えると共にコストも高いものになるといった問題もあった。
【０００６】
本発明は前記した問題点を解決せんとするもので、その目的とするところは、天板および底板に４辺に起立片が形成された取付金具をリベット等の締結部材によって固定し、この取付金具の４隅にアングル材を固定することで枠体を構成することができるので、部品点数が少ないのでコストの低減を図ることができると共に組立作業が簡単であり、また、アングル材を平面視でコの字状の一片から直角方向に折り曲げた形状としたことでアングル材としての強度が高くなり、前後、左右方向に変形し難く、かつ、上方向よりの荷重に対して変形し難い金属製組立棚のフレーム構造を提供せんとするにある。
【課題を解決するための手段】
【０００７】
本発明の金属製組立棚のフレーム構造は、前記した目的を達成せんとするもので、請求項１の手段は、四角形状に形成された水平辺の４辺から起立片が形成され前記水平辺と前記起立片の四隅部分に取付金具を固定するための孔が形成された天板および底板と、前記天板および底板の前記水平辺と起立片における孔を利用して締結部材によって固定される孔が形成され、かつ、２つの隅部にアングル材固定用の孔が形成された固定部を有する取付金具と、該取付金具の固定部の孔を利用して締結部材によって固定される孔を有する両端に形成されたＬ字状の取付部を有し、該取付部から連続して形成されたコ字状部および該コ字状部の一辺から外側に折り返された折曲辺が形成され、かつ、前記コ字状部と折曲辺とに形成された取付用孔を有するアングル材とから構成し、前記天板と底板に前記取付金具を固定し、該固定された取付金具の前記固定部に前記アングル材の取付部を固定し、該アングル材の前記コ字状部と折曲辺とに形成された取付用孔を利用して棚板等の取付部材の取付けを可能としたことを特徴とする。
【０００８】
請求項２の手段は、前記した請求項１において、前記天板および底板の前記起立辺の先端側から略９０度内側に折曲して水平辺を形成し、かつ、該水平辺の先端から垂直方向に略９０度折曲した垂直辺を形成すると共に、該水平辺と垂直辺に中間支柱を取付けるための取付用孔を形成したことを特徴とする。
【０００９】
請求項３の手段は、前記した請求項１において、前記取付金具の４隅に折り返し片を形成し、前記天板、底板および前記アングル材を締結部材によって固定することで、前記折り返し片は本体側と一体化されることを特徴とする。
【発明の効果】
【００１０】
本発明は前記したように、天板と底板に取付金具を固定し、該固定された取付金具の固定部にアングル材の取付部を固定し、該アングル材のコ字状部と折曲辺とに形成された取付用孔を利用して棚板等の取付部材の取付けるようにしたので、部品点数が少なくコストの低減を図ることができると共に組立作業が簡単であり、また、アングル材を平面視でコの字状の一片から直角方向に折り曲げた形状としたことでアングル材としての強度が高くなり、前後、左右方向に変形し難く、かつ、上方向よりの荷重に対して変形し難いものである。
【００１１】
また、天板および底板の前記起立辺の先端側から略９０度内側に折曲して水平辺を形成し、かつ、該水平辺の先端から垂直方向に略９０度折曲した垂直辺を形成すると共に、該水平辺と垂直辺に中間支柱を取付けるための取付用孔を形成したことにより、大きなフレームである場合に中間支柱によって、より強度の増大を容易に図ることができる。
【００１２】
さらに、取付金具の４隅に折り返し片を形成し、天板、底板およびアングル材を締結部材によって固定することで、折り返し片は本体側と一体化されるので、取付金具としての強度が増大し、前後、左右方向に変形を防止でき、かつ、上方向よりの荷重に対して変形を防止できる等の効果を有するものである。
【図面の簡単な説明】
【００１３】
【図１】本発明に係る金属製組立棚のフレーム構造の組立状態を示す斜視図である。
【図２】図１における天板のＣ−Ｃ線断面図である。
【図３】図１における取付金具の斜視図である。
【図４】図１におけるアングル材の一部を示す斜視図である。
【図５】（ａ）は図１のＡ−Ａ線断面図、（ｂ）図１のＢ−Ｂ線を示す断面図である。
【発明を実施するための形態】
【００１４】
以下、本発明に係る金属製組立棚のフレーム構造の実施例を図面と共に説明する。
図１，図２において、１，２は四角形状の同一形状に形成された天板および底板にして、それぞれの４辺の外周には起立辺１１，２１が形成され、該起立辺１１，２１の両端部および平面部には後述する取付金具３とリベット等の締結部材（図示せず）を挿入するための孔１１ａ，１１ｂ，２１ａが形成されている。なお、底板２における平面部の孔は取付金具３が取付けられているので図面には現れていない。
【００１５】
また、長手方向における前記起立辺１１，２１の先端から９０度内側に折曲された水平辺１２，２２が形成され、かつ、該水平辺１２，２２の先端から垂直方向に９０度で折曲された垂直辺１３，２３が一体的に形成されている。さらに、前記水平辺１２，２２と垂直辺１３，２３には角孔や丸孔１２ａ，１３ａ，２２ａ，２３ａが形成されている。
【００１６】
また、前記水平辺１２，２２および垂直辺１３，２３は図１からも判るように両端部は切除されており、取付金具３の短辺側が前記天板１や底板２と水平辺１２，２２、垂直辺１３，２３との間に入り込む長さとなっている。
【００１７】
なお、図２に示すものは天板１であるが、底板２は上下方向を反転した状態となる。また、天板１や底板２には大きな開口部１１ｃ，２１ｃが形成されており、完成品に電源装置等の電気機器を収納した時に、該電気機器に電源を供給したり信号の入出力を行うためのケーブルを挿入するためのものである。
【００１８】
３は図３に詳細を示す取付金具にして、幅ｗは前記天板１や底板２の短辺側の起立片１１，２１内に入る長さであり、また、奥行きｄは前記天板１や底板２の短辺側と、起立辺１１，２１における水平辺１２，２２、垂直辺１３，２３との間に入り込む長さであり、さらに、高さｈは後述するアングル材４の取付部４１を取付けるための２つの隅に形成された固定部３１の部分のみが高く形成されている。
【００１９】
また、前記固定部３１と、該固定部３１と対向する隅には折り返し片３２，３３が形成されており、折り返し片３２はアングル材４を締結金具で固定することで本体側と一体化され、さらに、折り返し片３３は取付金具３を天板１や底板２に締結部材で固定することで本体と一体化され、取付金具３の全体の強度の向上が図られている。
【００２０】
すなわち、折り返し片３２の部分に形成した孔３１ａを利用してアングル材４の取付部４１に形成されている孔４１ａとを締結部材によって固定することで、また、折り返し片３３の部分に形成した孔３ａを利用して天板１と底板２に形成されている孔１１ａ，１１ｂ，２１ａ，２１ｂとを締結部材によって固定することで、折り返し片３２，３３は本体と一体化され強度が高くなるものである。
【００２１】
４は平板をプレス加工等によって折り返して製作したアングル材にして、平面形においてコ字状部４１と、該コ字状部４１の一辺から外側に折り返した棚取付辺４２とから形成され、かつ、上下端部Ｌ字状にカットされた前記取付金具３との取付部４３となっている。
【００２２】
そして、前記折曲辺４２と、該折曲辺４２と隣接するコ字状部４１の１辺には棚板をネジ止めするための角孔４１ａや丸孔４２ａが形成され、また、取付部４３の２辺には取付金具３における固定部３１の孔３１ａと一致する孔４３ａが形成されている。
【００２３】
このように構成した本発明の金属製組立棚板のフレーム構造にあっては、先ず、天板１と底板２に取付金具３の取付部３１が外側に位置するように締結部材によって固定し、次に、底板２側に取付けられた取付金具３における４ヵ所の固定部３１にそれぞれアングル材４における下端側の取付部４３を締結部材によって固定する。
【００２４】
次いで、天板１に取付けられている取付金具３における４ヵ所の固定部３１にそれぞれアングル材４の上端側の取付部４３を締結部材によって固定することでフレームは完成する。そして、４本のアングル材４におけるコ字状部４１の角孔４１ａまたは前記折曲辺４２の丸孔４２ａの何れかを利用して棚板（図示せず）をネジ止めすることで所望枚数の棚板を取付けることができる。
【００２５】
なお、図１に示すフレーム構造として奥行き方向の長さが長い場合に、棚板をアングル材４の角孔４１ａや丸孔４２ａのみで取付けると、棚板に載置する電源装置の重量が大きい場合に棚板が重量によって変形する可能性がある。このような場合には、天板１と底板２に形成されている水平辺１２，２２、垂直辺１３，２３の孔を利用して中間支柱を取付けることで棚板の変形を防止することが可能となる。
【００２６】
以上、説明したように、本発明の金属製組立棚のフレーム構造にあっては、天板１および底板２に対して面積の大きな取付金具３を取付け、この取付金具の高さの有る固定部３１にアングル材４の取付部４３を取付けることで、重量の重い電源装置等の重量物を載せても前後、左右方向に変形し難く、かつ、上方向よりの荷重に対して変形し難いものとなる。
【００２７】
また、アングル材４はコ字状部４１と折曲辺４２との３ヵ所を折り曲げて形成したので従来のＬ型鋼よりも強度が大となり、また、コ字状部４１と折曲辺４２の２辺に取付け用の孔を形成したので、棚板のみならず他の部品も取付けが可能である。しかもアングル材４は一種類のものを上下反転することで４ヵ所の柱として使用可能であり、かつ、天板１、底板２、取付金具３も同じものを利用できることから、部材としては天板、底板、アングル材の共通化により部材の点数を削減できコストの低減を図ることができる。
【符号の説明】
【００２８】
１                天板
１１              起立辺
１１ａ，１１ｂ    孔
１２              水平辺
１３              垂直辺
２                底板
２１              起立辺
２１ａ，２１ｂ    孔
２２              水平辺
２３              垂直辺
３                取付金具
３１              固定部
３１ａ            孔
３２，３３        折り返し片
４                アングル材
４１              コ字状部
４１ａ            孔（角孔）
４２              折曲辺
４２ａ            孔（丸孔）
４３              取付部
４３ａ            孔
【図１】
2011029363.tif 000003
【図２】
2011029363.tif 000004
【図３】
2011029363.tif 000005
【図４】
2011029363.tif 000006
【図５】
2011029363.tif 000007